(57)【要約】【課題】これにより、簡易な構成にて前記懸吊ひものずれを防止することを課題としている。【解決手段】名札ケースＡを取り付ける取付部材３５を有し、この取付部材３５を用いて名札ケースＡを懸吊ひも１に連結する連結装置３において、前記懸吊ひも１により形成した第二のループ部分１２を引っ掛ける引掛部材３１と、この引掛部材３１との間に前記懸吊ひも１の第二のループ部分１４を挟持する挟持部材３２とを具備し、懸吊ひも１に対して張力をかけた際に、この懸吊ひも１を前記引掛部材３１及び挟持部材３２に圧接させた状態で保持させる構成としている。【選択図】図８
2004267623.tif 000002
【特許請求の範囲】
【請求項１】
被懸吊体を取り付ける取付部材を有し、この取付部材を用いて被懸吊体を懸吊ひもに連結する連結装置において、
前記懸吊ひもにより形成したループ部分を引っ掛ける引掛部材と、
この引掛部材との間に前記懸吊ひものループ部分を挟持する挟持部材とを具備し、懸吊ひもに対して張力をかけた際に、この懸吊ひもを前記引掛部材及び挟持部材に圧接させた状態で保持させることを特徴とする連結装置。
【請求項２】
前記懸吊ひものスライド方向と直交する方向に突出する引掛け部材を具備し、当該引掛部材よりも反ループ部分側に位置する挟持部材との間に懸吊ひもを挟持させて固定することを特徴とする請求項１記載の連結装置。
【請求項３】
前記引掛部材を片持ち的に設けたことを特徴とする請求項１又は２記載の連結装置。
【請求項４】
前記引掛部材を設けた本体部材に、片持ち的に設けた引掛部材の先端から懸吊ひものループ部分を引っ掛けることのできる開口を設けていることを特徴とする請求項３記載の連結装置。
【請求項５】
前記本体部材に、懸吊ひものループ部分を一端側に延出させて当該懸吊ひもの重合部分を束ねる束ね部を設け、
この本体部材の束ね部の一部を前記挟持部材としていることを特徴とする請求項４記載の連結装置。
【請求項６】
前記束ね部に懸吊ひもを傾斜させた状態で挿入して当該懸吊ひものループ部分を一端側に延出させて片持ち的に設けた引掛部材の先端から当該ループ部分を引っ掛けることのできる束ね部であることを特徴とする請求項５記載の連結装置。
【請求項７】
前記引掛部材及び挟持部材を設けた第一の本体部材と
前記取付部材を設けた第ニの本体部材とを、相対回転可能に構成してることを特徴とする請求項１乃至６記載の連結装置。
【請求項８】
係止爪を有する弾性変形可能な弾性片を具備し、当該係止爪を被懸吊体に係止させて取り付ける取付部材であることを特徴とする請求項１乃至６記載の連結装置。
【請求項９】
請求項１乃至８記載の連結装置と、この連結装置を取り付けた懸吊ひもとを具備していることを特徴とする懸吊具。
【請求項１０】
請求項１乃至８記載の連結装置と、この連結装置を取り付けた懸吊ひもと、この懸吊ひもに対して張力がかかった際に、ループを解除する安全装置とを具備していることを特徴とする懸吊具。
【発明の詳細な説明】
【０００１】
【発明の属する技術分野】
本発明は、名札やＩＤカード、携帯電話等を首から吊り下げて使用する際に利用される懸吊具に関するものである。
【０００２】
【従来の技術】
近年、名札を取り付けるピンで服に孔が開くといった問題も生じず、また、名札をクリップで取り付けるためのポケット等が不要であり着る服を選ばないなどの理由から、名札やＩＤカード等を取り付けて首等から吊り下げて使用するタイプの懸吊具が使用されるようになってきている。そして、このようなタイプの懸吊具には、使用者が首から吊り下げる際に使用する懸吊ひもに被懸吊体である名札等を取り付けるための連結装置を設けている。この連結装置としては、例えば、前記懸吊ひもを通すリング部及び被懸吊体を挟むクリップ等を具備し、このリング部に前記懸吊ひもを通すと共に、前記クリップにより名札を挟持させて前記懸吊ひもと被懸吊体である名札を連結するものが挙げられる。
【０００３】
【特許文献１】特開２０００−７９０１２号公報（第３頁、段落番号０００９等）
【０００４】
【発明が解決しようとする課題】
ところが、前記構成の連結装置では、前記懸吊ひもを前記リング部に通して連結しているだけであるため、この連結装置に対して懸吊ひもが、ずれてしまう。従って、例えば当該懸吊ひもに、この懸吊ひもに対して不意の張力がかかった際には懸吊ひものループ状態を解除し使用者の首を絞めてしまわないような安全装置などを取り付けたとしても、この安全装置を好適な位置に維持することができないなどの不具合が生じる。また、前述のようなずれを防止するためには別体の金属製のかしめ具等を用いなければならなかった。
【０００５】
【課題を解決するための手段】
そこで、本発明は上記課題に着目してなされたものであり、前記被懸吊体を取り付ける取付部材を有し、この取付部材を用いて被懸吊体を懸吊ひもに連結する連結装置において、前記懸吊ひもにより形成したループ部分を引っ掛ける引掛部材と、この引掛部材との間に前記懸吊ひものループ部分を挟持する挟持部材とを具備し、懸吊ひもに対して張力をかけた際に、この懸吊ひもを前記引掛部材及び挟持部材に圧接させた状態で保持させることを特徴とする。
【０００６】
以上の構成により、簡易な構成にて前記懸吊ひものずれを防止することができ、例えば安全装置などを設けた場合にも、かかる安全装置を使用者に対して好適な位置に保持したまま懸吊具を使用することができる。
【０００７】
具体的な構成としては、前記懸吊ひものスライド方向と直交する方向に突出する引掛け部材を具備し、当該引掛部材よりも反ループ部分側に位置する挟持部材との間に懸吊ひもを挟持させて固定することが考えられる。
【０００８】
また、当該連結装置を懸吊ひもに容易に取り付けるためには、前記引掛部材を片持ち的に設けることが考えられると共に、更には、前記引掛部材を設けた本体部材に、片持ち的に設けた引掛部材の先端から懸吊ひものループ部分を引っ掛けることのできる開口を設けることが望ましい。
【０００９】
加えて、前記本体部材に、懸吊ひものループ部分を一端側に延出させて当該懸吊ひもの重合部分を束ねる束ね部を設け、この本体部材の束ね部の一部を前記挟持部材とすることで、より確実に懸吊ひもを固定することができる。
【００１０】
更に、前記束ね部から懸吊ひもを挿入して前記引掛部材に引っ掛け易い構造とするためには、前記束ね部に懸吊ひもを傾斜させた状態で挿入して当該懸吊ひものループ部分を一端側に延出させて片持ち的に設けた引掛部材の先端から当該ループ部分を引っ掛けることのできる束ね部とすることが考えられる。
【００１１】
また、前記引掛部材及び挟持部材を設けた第一の本体部材と、前記取付部材を設けた第ニの本体部材とを、相対回転可能に構成することで、被懸吊体を懸吊ひもに対して回転可能とすることができる。
【００１２】
加えて、簡易な構造にて確実に被懸吊体を取り付けるには、係止爪を有する弾性変形可能な弾性片を具備し、当該係止爪を被懸吊体に係止させて取り付ける取付部材を設けることが望ましい。
【００１３】
【発明の実施の形態】
以下、本発明の一実施の形態を、図面を参照して説明する。
【００１４】
図１は、使用者が、本実施形態の懸吊具Ｂを首に掛けた状態を示す正面図である。
【００１５】
本願発明の懸吊具Ｂは、図１に示すように、使用者が被懸吊体である名札ケースＡなどを首から吊り下げて使用する際に利用されるものであり、首にかけるための懸吊ひも１と、この懸吊ひも１の長さを調節する懸吊ひも調節機構２と、前記懸吊ひも１を名札ケースＡに連結する連結装置３と、この懸吊ひも１に対して一定以上の張力がかかった際に、この懸吊ひも１のループ状態を解除する安全装置４とを具備してなる。
【００１６】
以下、各構成を詳述する。
【００１７】
名札ケースＡは、合成樹脂等にて平板状に形成された正面視略矩形状のクリアケースであり、内部に名札等を収納可能としているものである。
【００１８】
懸吊ひも１は、その長手方向と直交する方向に略矩形状の断面を有する平織り等で形成した扁平なひもであり、図１に示すように、使用者が、当該懸吊具Ｂを首から吊り下げられるようにしたものである。
【００１９】
そして、本実施の形態の懸吊具Ｂは前記懸吊ひも１の長さを調節する懸吊ひも調節機構２を有している。
【００２０】
この懸吊ひも調節機構２は、図２に示すように、合成樹脂等にて一体に成型されるもので、前記懸吊ひも１の第一のループ部分１１を一端側に延出させて当該懸吊ひも１の第一の重合部分１３を包み持つ包持部材２１と、前記懸吊ひも１の第一のループ部分１１を係止させた状態で前記懸吊ひも１が当該包持部材２１から抜け落ちるのを防止する抜止部材２２と、この抜止部材２２に前記懸吊ひも１の第一のループ部分１１が密着するのを防止する密着防止手段２３とを具備している。
【００２１】
包持部材２１は、図２乃至図５に示すように、前後壁２１ａ、２１ｂ及び左右側壁２１ｃ、２１ｄにて形成された筒状のものであり、その内包に懸吊ひも１の第一の重合部分１３を略緊密な状態に包持可能な程度に開孔する挿通孔２１ｅを形成し、この挿通孔２１ｅ内に前記懸吊ひも１をスライドできるようにしている。そして、第一のループ部分１１を形成する懸吊ひも１の第一の重合部分１３を包み持つと共に、前記挿通孔２１ｅの一端側から、前記懸吊ひも１の第一のループ部分１１を延出させている。更に、この包持部材２１の前後外側面には、図３に示すように突起２７１を有する持ち手部２７を具備し、使用者が、当該懸吊ひも調節機構２を握持し易いようにしている。
【００２２】
抜止部材２２は、図４に示すように、前記包持部材２１を基端２２ａとすると共に、先端２２ｂを自由端として片持ち的に形成されているものであり、前記懸吊ひも１を係止する係止要素２２１と、この係止要素２２１を前記包持部材２１に支持させる支持要素２２２とを具備し、図６に示すように、前記懸吊ひも１の第一のループ部分１１を係止して前記懸吊ひも１が当該包持部材２１から抜け落ちるのを防止している。また、この抜止部材２２の先端部と前記包持部材２１とを、懸吊ひも１の厚みと略同程度に離間させて当該懸吊ひも１を通過させる通過口２４を形成し、この通過口２４に前記包持部材２１から延出する第一のループ部分１１を通過させて、抜止部材２２の先端側から懸吊ひも１を引っ掛けることができるようにしている。
【００２３】
係止要素２２１は、前記包持部材２１と、この包持部材２１から延出する懸吊ひも１の第一のループ部分１１との間に位置し、前記挿通孔２１ｅの上方に当該挿通孔２１ｅの開口を横架する状態に設けられるもので、使用者が、懸吊ひも調節機構２を用いて、最も前記第一のループ部分１１の長さを短くして使用者の首にかける懸吊ひも１の長さを長く調節した状態で、前記懸吊ひも１の第一のループ部分１１を係止するものである。
支持要素２２２は、前記係止要素２２１と直交する状態に当該係止要素２２１から前記包持部材２１側に屈曲させて、前記包持部材２１の側壁上面に連続する状態に一体に形成されているものである。
【００２４】
また、前記抜止部材２２に設けられた密着防止手段２３は、突出状態で設けられる突出体２３１を用いて、前記懸吊ひも１の第一のループ部分１１が、当該抜止部材２２に密着するのを防止している。
【００２５】
突出体２３１は、図６に示すように、前記抜止部材２２の上面中央部に設けられており、懸吊ひも１の第一のループ部分１１側に突出して前記抜止部材２２との間に段差を形成している、そして、この抜止部材２２に前記懸吊ひも１の第一のループ部分１１を係止した状態で、使用者の指を挿入可能な摘み空間２３２を形成し、図７に示すように、使用者が、前記抜止部材２２により、懸吊ひも１の第一のループ部分１１を係止して前記懸吊ひも１が当該包持部材２１から抜け落ちるのを防止した後、再び懸吊ひも１の長さを調節する際に、この摘み空間２３２に指を挿入して懸吊ひも１を摘むことができるようにしている。
【００２６】
また、この懸吊ひも調節機構２は、前記懸吊ひも１のループ部分を、前記抜止部材２２の係止位置に向けて誘導する、つまり前記抜止部材２２に係止する方向に誘導するガイド部２５を備えて、前記懸吊ひも１が、前記抜止部材２２に係止され易くすると共に、懸吊ひも１の滑り止め部２６を設け、懸吊ひも調節機構２を好適な位置に維持できるようにしている。
【００２７】
ガイド部２５は、図４、５に示すように、前記抜止部材２２に形成されているもので、具体的には、前記抜止部材２２が前記懸吊ひも１のスライド面と接する面に、懸吊ひも１の幅寸法と略同一の幅寸法を有すると共に、前記懸吊ひも１のスライド方向に延びる溝を設け、前記懸吊ひも１の第一のループ部分１１を、前記抜止部材２２の係止位置に向けて誘導するようにしている。
【００２８】
滑り止め部２６は、前記包持部材２１に設けた挿通孔２１ｅの内側面に突出体２６１を設けて前記懸吊ひも１と包持部材２１との間にスライド抵抗を生じさせている。
【００２９】
この突出体２６１は、図４、５に示すように、包持部材２１の前後壁２１ａ、２１ｂの内側面に前後一対に設けられ、懸吊ひも１のスライド方向に延出する形状をなしている。
【００３０】
更に、本実施形態における懸吊具Ｂは、図８に示すように、前記名札ケースＡを取り付ける取付部材３５を有し、この取付部材３５を用いて当該名札ケースＡを懸吊ひも１に連結する連結装置３を有している。
【００３１】
また、本実施の形態にかかる連結装置３は、図９に示すように、前記懸吊ひも１により形成したループ部分を引っ掛ける引掛部材３１と、この引掛部材３１との間に前記懸吊ひも１のループ部分を挟持する挟持部材３２とを具備し、当該懸吊ひも１に対して張力をかけた際に、この懸吊ひも１を前記引掛部材３１及び挟持部材３２に圧接させて保持させることで懸吊ひも１の位置決めを実現しているものである。
【００３２】
加えて、前記引掛部材３１及び挟持部材３２を設けた第一の本体部材３Ａと、前記取付部材３５を設けた第二の本体部材３Ｂとを相対回転可能に係合させることで、図１５に示すように、懸吊ひも１に対して名札ケースＡを回転可能としている。
【００３３】
以下、各構成を詳述する。
【００３４】
第一の本体部材３Ａは、合成樹脂等にて一体に成型されるものであり、前後壁３ａ、３ｂ及び左右側壁３ｃ、３ｄとを具備し、その内方に懸吊ひも１が挿通する挿通孔２１ｅを形成している。また、後壁３ｂの裏面から突出する係合部３７を、第二の本体部材３Ｂに開口する被係合部３６に相対回転可能に係合させて、この第一の本体部材３Ａと第二の本体部材３Ｂを相対回転可能としているものである。
また、その上端部に、前記前後壁３ａ、３ｂ及び左右側壁３ｃ、３ｄとから構成される束ね部３３を設け、図１１に示すように、懸吊ひも１の第二のループ部分１２を一端側に延出させて当該懸吊ひも１の第二の重合部分１４を束ねられるようにしている。また、図１３，１４に示すように、この束ね部３３を構成する左側壁３ｄに上端に向けて開口する切り欠け部３３ａを設けて懸吊ひも１を当該連結装置３に取り付けやすくしている。具体的に懸吊ひも１をこの連結装置３に取り付ける工程を説明すると、図１０に示すように、まず背面視において懸吊ひも１を挿入方向、つまり懸吊ひも１の取付姿勢に対して傾斜させた状態で第二のループ部分１２を当該束ね部３３に挿入して、右側壁３ｃに設けた開口から一部を突出させながら第二のループ部分１２を引掛部材３１側に延出させる。その後、片持ち的に設けた引掛部材３１の先端３１ｂから当該第二のループ部分１２を引っ掛ける。
【００３５】
引掛部材３１は、前記束ね部３３より延出した第二のループ部分１２を引っ掛けるもので第一の本体部材３Ａに設けられた挿通孔２１ｅ内に設けられている。具体的には、当該第一の本体部材３Ａの左側壁側を基端３１ａとし、前記懸吊ひも１のスライド方向と直交する方向に突出して片持ち的に設けられると共に、その先端３１ｂを、連結装置３の第一の本体部材３Ａに設けた前記開口側に向け、この先端３１ｂから懸吊ひも１の第二のループ部分１２を引っ掛けることのできるようにしている。
【００３６】
挟持部材３２は、図１２に示すように、前記引掛部材３１との間に前記懸吊ひも１の第二のループ部分１２を屈曲させた状態で挟持するものである。具体的には、前記第一の本体部材３Ａの束ね部３３の下端部を挟持部材３２としており、懸吊ひも１に対して張力をかけた際に、この懸吊ひも１が前記引掛部材３１及び挟持部材３２に圧接される位置、つまり、当該引掛部材３１よりも反第二のループ部分側に位置するように設けられている。
【００３７】
クリップ部３４は、名札ケースを胸ポケットなどに取り付けて使用する際に利用されるものであり、図１２に示すように、前記後壁３ｂの下端部を弾性変形可能な弾性片３４１とし、この弾性片３４１と前壁との間にポケットの上端部等を挟持して利用されるものである。尚、この弾性片３４１には、反弾性片側に突出する止め部材３４２を設けている。
【００３８】
第二の本体部は、合成樹脂等にて一体成型されているものであり、前壁３５ａおよび後壁３５ｂを有し、当該前後壁３５ａ、３５ｂの一部に後述する取付部材３５を形成している。
【００３９】
取付部材３５は、図１２に示すように、弾性変形可能な弾性片３５１を有し、この弾性片３５１の前面に名札ケースＡを挟持する挟持側に突出する係止爪３５１ａ及びこの係止爪３５１ａを反挟持側に離間させる押出部３５１ｂを具備している。そして、この押出部３５１ｂを押して弾性片３５１を後方に弾性変形させた状態で、名札ケースＡの上端を取付部材３５に挿入する構成としている。そしてその後、弾性片３５１の押圧を解除して保有弾力で復帰させ名札ケースＡに設けた開口部Ａ１に前記係止爪３５１ａを係止させると共に、前記前後壁３５ａ、３５ｂ間に名札ケースＡを挟持させて取り付けている。
【００４０】
また、この懸吊具Ｂには、懸吊ひも１に不意の張力がかかった際に、使用者の首を絞めてしまわないように、安全装置４が取り付けられている。
【００４１】
この安全装置４は、この懸吊ひも１の両端部に、一定以上の力で係合又は係合解除する一対の係合体とを備え、これら係合体同士を係合させることにより前記懸吊ひも１がループをなすように構成している。
【００４２】
具体的には、一対の凹係合体４１及び凸係合体４２を有し、吊り下げた名札等が人に引っ掛かったりドアに挟まれたりしたときに懸吊ひも１に加わった張力が係合体に作用し、この張力によって凹凸係合解除して安全機能として作動し、懸吊具Ｂで首が絞まってしまうといった事故を防止するように構成されている
以上のような構成を採ることによって、本願発明の連結装置３は、簡易な構成にて前記懸吊ひも１のずれを防止することができ、例えば安全装置４などを設けた場合にも、かかる安全装置４を使用者に対して好適な位置に保持したまま懸吊具Ｂを使用することができる。
【００４３】
また、前記引掛部材３１を片持ち的に設けると共に、前記引掛部材３１を設けた第一の本体部材３Ａに、引掛部材３１の先端から懸吊ひも１の第二のループ部分１２を引っ掛けることのできる開口を設けていることで、当該連結装置３を懸吊ひも１に容易に取り付けることができる。
【００４４】
加えて、前記第一の本体部材３Ａに、懸吊ひも１の第二のループ部分１２を一端側に延出させて当該懸吊ひも１の第二の重合部分１４を束ねる束ね部３３を設け、この第一の本体部材３Ａの束ね部３３の一部を挟持部材３２とすることで、より確実に懸吊ひも１を固定することができる。
【００４５】
更に、前記束ね部３３に懸吊ひも１を、挿入方向、つまり懸吊ひも１の取付姿勢に対して傾斜させた状態で挿入して当該懸吊ひも１の第二のループ部分１２を一端側に延出させて片持ち的に設けた引掛部材３１の先端から当該第二のループ部分１２を引っ掛けることのできる束ね部３３とすることにより、前記束ね部３３から懸吊ひも１を挿入して前記引掛部材３１に引っ掛け易い構造とすることが可能となる。
【００４６】
また、前記引掛部材３１及び挟持部材３２を設けた第一の本体部材３Ａと、前記取付部材３５を設けた第ニの本体部材３Ｂとを、相対回転可能に構成することで、名札ケースＡを懸吊ひも１に対して回転可能とすることができる。
【００４７】
加えて、係止爪３５１ａを有する弾性変形可能な弾性片３５１を具備し、当該係止爪３５１ａを名札ケースＡに係止させて取り付ける取付部材３５を設けているため、簡易な構造にて確実に名札ケースＡを取り付けられる。
【００４８】
なお、本発明における構成は、以上説明したものに限定されないのは勿論である。例えば、前記密着防止手段２３は、前記抜止部材２２に凹部を設けることにより構成しても良い。また、前記抜止部材２２を軟質部材により構成し、前記第一のループ部分１１を持つ際に当該抜止部材２２を凹ませて摘み空間２３２を形成して密着を防止することも考えられる。更に、本実施の形態においては、前記包持部材２１が前後左右側壁２１ａ、２１ｂ、２１ｃ、２１ｄにより閉塞した筒状をなしているが、一部に開放部を有していてもよい。また、本実施の形態においては、連結装置３を第一の本体部材３Ａと第二の本体部材３Ｂとの別体にて構成しているが、合成樹脂等にて一体に成型してもよい。加えて、本実施の形態においては、被懸吊体を名札ホルダＡとしているが、ＩＣカードの他、携帯電話などを懸吊することもできる。その他の構成も本発明の趣旨を逸脱しない範囲で種々変形が可能である。
【００４９】
【発明の効果】
本発明は、前記被懸吊体を取り付ける取付部材を有し、この取付部材を用いて被懸吊体を懸吊ひもに連結する連結装置において、前記懸吊ひもにより形成したループ部分を引っ掛ける引掛部材と、この引掛部材との間に前記懸吊ひものループ部分を挟持する挟持部材とを具備し、懸吊ひもに対して張力をかけた際に、この懸吊ひもを前記引掛部材及び挟持部材に圧接させた状態で保持させることを特徴とする。これにより、簡易な構成にて前記懸吊ひものずれを防止することができ、例えば安全装置などを設けた場合にも、かかる安全装置を使用者に対して好適な位置に保持したまま懸吊具を使用することができる。
【図面の簡単な説明】
【図１】本実施の形態における使用者が懸吊具を使用した状態を示す正面図。
【図２】同実施形態における懸吊ひも調節機構を示す斜視図。
【図３】同実施形態における懸吊ひも調節機構を示す側面図。
【図４】同実施形態における懸吊ひも調節機構を示す正面図。
【図５】同実施形態における懸吊ひも調節機構を示す平面図。
【図６】同実施形態における抜止部材に懸吊ひもを係止させた状態を示す正面図。
【図７】同実施形態における懸吊ひもをスライドさせて当該懸吊ひもの長さを調節する工程を示す正面図。
【図８】同実施形態における連結装置に名札ケースを取り付けた状態を示す後方斜視図。
【図９】同実施形態における連結装置に名札ケースを取り付けた状態を示す背面図。
【図１０】同実施形態における連結装置の引掛部材に、懸吊ひもを引っ掛ける工程を示す背面図。
【図１１】同実施形態における連結装置に名札ケースを取り付けた状態を示す右側面図。
【図１２】同実施形態における連結装置に名札ケースを取り付けた状態を示す中央側断面図。
【図１３】同実施形態における連結装置に名札ケースを取り付けた状態を示す左側面図。
【図１４】同実施形態における連結装置に名札ケースを取り付けた状態を示す平面図。
【図１５】同実施形態における第一本体部材を回転させた状態を示す背面図。
【図１６】同実施形態における連結装置を示す正面図。
【符号の説明】
Ａ・・・被懸吊体（名札ケース）
Ｂ・・・懸吊具
１・・・懸吊ひも
３・・・連結装置
４・・・安全装置
３Ａ・・・第一の本体部材
３Ｂ・・・第二の本体部材
１２・・・第二のループ部分
１４・・・第二の重合部分
３１・・・引掛部材
３１ａ・・・基端
３１ｂ・・・先端
３２・・・挟持部材
３３・・・束ね部
３５・・・取り付け部材
３５１・・・弾性片
３５１・・・係止爪
【図１】
2004267623.tif 000003
【図２】
2004267623.tif 000004
【図３】
2004267623.tif 000005
【図４】
2004267623.tif 000006
【図５】
2004267623.tif 000007
【図６】
2004267623.tif 000008
【図７】
2004267623.tif 000009
【図８】
2004267623.tif 000010
【図９】
2004267623.tif 000011
【図１０】
2004267623.tif 000012
【図１１】
2004267623.tif 000013
【図１２】
2004267623.tif 000014
【図１３】
2004267623.tif 000015
【図１４】
2004267623.tif 000016
【図１５】
2004267623.tif 000017
【図１６】
2004267623.tif 000018